(57)【要約】      （修正有）【課題】信号出力状態を簡単に切り替えることができるコネクタを提供する。【解決手段】メスコネクタ３０に対してオスコネクタ１０を表裏いずれの方向からも挿入可能に形成される。オスコネクタ１０をメスコネクタ３０に対して表側で挿入すると、オスコネクタ１０側に信号が外部出力され、オスコネクタ１０をメスコネクタ３０に対して裏側で挿入すると、オスコネクタ１０側に信号が外部出力とともに、メスコネクタ３０側にも信号が内部出力される。【選択図】      図３
2005276710.tif 000002
【特許請求の範囲】
【請求項１】
オスコネクタの挿入部をメスコネクタの被挿入部に挿入することにより、相互に電気的に接続されるコネクタにおいて、
前記オスコネクタの挿入部は、表裏２つの面を有するとともに、一方の面にオス端子を備え、
前記メスコネクタの被挿入部は、前記オスコネクタの挿入部を表裏いずれの方向からも挿入可能に形成されるとともに、その内側に前記オスコネクタが表側で挿入された際に前記オス端子と接触する第１メス端子と、前記オスコネクタが裏側で挿入された際に前記オス端子と接触する第２メス端子及び第３メス端子を備えることを特徴とするコネクタ。
【請求項２】
前記第１メス端子と前記第３メス端子とを電気的に接続する接続端子を備え、該接続端子は、前記オスコネクタの挿入部が前記メスコネクタの被挿入部に挿入されると、前記第１メス端子と前記第３メス端子との接続を解除し、前記オスコネクタの挿入部が前記メスコネクタの被挿入部から抜かれると、前記第１メス端子と前記第３メス端子とを接続することを特徴とする請求項１に記載のコネクタ。
【請求項３】
オスコネクタの挿入部をメスコネクタの被挿入部に挿入することにより、相互に電気的に接続されるコネクタにおいて、
前記オスコネクタの挿入部は、先端にオス端子を備え、
前記メスコネクタの被挿入部は、前記オスコネクタの挿入部の挿入深さを浅挿入と深挿入の２段階に分けて挿入可能に形成されるとともに、その内側に前記オスコネクタが浅挿入された際に前記オス端子と接触する第１メス端子と、前記オスコネクタが深挿入された際に前記第１メス端子とともに前記オス端子と接触する第２メス端子を備えることを特徴とするコネクタ。
【請求項４】
前記第１メス端子と前記第２メス端子とを電気的に接続する接続端子を備え、該接続端子は、前記オスコネクタの挿入部が前記メスコネクタの被挿入部に挿入されると、前記第１メス端子と前記第２メス端子との接続を解除し、前記オスコネクタの挿入部が前記メスコネクタの被挿入部から抜かれると、前記第１メス端子と前記第２メス端子とを接続することを特徴とする請求項３に記載のコネクタ。
【発明の詳細な説明】
【技術分野】
【０００１】
本発明はコネクタに係り、特にオスコネクタの挿入部をメスコネクタの被挿入部に挿入することにより、互いに電気的に接続されるコネクタに関する。
【背景技術】
【０００２】
一般にコネクタは接続可能なオスコネクタとメスコネクタと組み合わせが限られており、異なる形状のオスコネクタとメスコネクタは接続できないようにされている。このため、異なる形状のオスコネクタとメスコネクタとを接続する場合はアダプタ等を介して接続する必要があった。
【０００３】
一方、特許文献１では、１つのジャックで光ファイバプラグと電気プラグの両方を選択的に接続できるようにするために、光ファイバプラグを既存の電気プラグの形状に類似させ、ジャックの奥に光半導体素子を配するとともに、内周部に電気接続端子を配することが提案されている。
【特許文献１】特開平６−１４０１０６号公報
【発明の開示】
【発明が解決しようとする課題】
【０００４】
しかしながら、従来のようにアダプタを用いて出力形式を切り替える方法では、常にアダプタを用意しておかなければならず、使い勝手が悪いという欠点がある。
【０００５】
また、特許文献１の方法では、光ファイバプラグと電気プラグの切り替えしか行なうことができず、汎用性が低いという欠点がある。
【０００６】
本発明は、このような事情に鑑みてなされたもので、信号出力状態を簡単に切り替えることができるコネクタを提供することを目的とする。
【課題を解決するための手段】
【０００７】
請求項１に係る発明は、前記目的を達成するために、オスコネクタの挿入部をメスコネクタの被挿入部に挿入することにより、相互に電気的に接続されるコネクタにおいて、前記オスコネクタの挿入部は、表裏２つの面を有するとともに、一方の面にオス端子を備え、前記メスコネクタの被挿入部は、前記オスコネクタの挿入部を表裏いずれの方向からも挿入可能に形成されるとともに、その内側に前記オスコネクタが表側で挿入された際に前記オス端子と接触する第１メス端子と、前記オスコネクタが裏側で挿入された際に前記オス端子と接触する第２メス端子及び第３メス端子を備えることを特徴とするコネクタを提供する。
【０００８】
本発明によれば、オスコネクタの挿入部をメスコネクタの被挿入部に表裏いずれの方向からも挿入できる。そして、表側で挿入すると、オス端子に第１メス端子が接触し、裏側で挿入すると、オス端子に第２メス端子と第３メス端子とが接触する。
【０００９】
また、請求項２に係る発明は、前記目的を達成するために、前記第１メス端子と前記第３メス端子とを電気的に接続する接続端子を備え、該接続端子は、前記オスコネクタの挿入部が前記メスコネクタの被挿入部に挿入されると、前記第１メス端子と前記第３メス端子との接続を解除し、前記オスコネクタの挿入部が前記メスコネクタの被挿入部から抜かれると、前記第１メス端子と前記第３メス端子とを接続することを特徴とする請求項１に記載のコネクタを提供する。
【００１０】
本発明によれば、第１メス端子と第３メス端子とを電気的に接続する接続端子が備えられている。この接続端子は、オスコネクタの挿入部をメスコネクタの被挿入部に挿入すると、第１メス端子と第３メス端子との接続を解除し、抜くと、第１メス端子と第３メス端子とを接続する。
【００１１】
また、請求項３に係る発明は、前記目的を達成するために、オスコネクタの挿入部をメスコネクタの被挿入部に挿入することにより、相互に電気的に接続されるコネクタにおいて、前記オスコネクタの挿入部は、先端にオス端子を備え、前記メスコネクタの被挿入部は、前記オスコネクタの挿入部の挿入深さを浅挿入と深挿入の２段階に分けて挿入可能に形成されるとともに、その内側に前記オスコネクタが浅挿入された際に前記オス端子と接触する第１メス端子と、前記オスコネクタが深挿入された際に前記第１メス端子とともに前記オス端子と接触する第２メス端子を備えることを特徴とするコネクタを提供する。
【００１２】
本発明によれば、オスコネクタの挿入部をメスコネクタの被挿入部に段階的に挿入できる。そして、オスコネクタの挿入部をメスコネクタの被挿入部に浅挿入すると、オス端子に第１メス端子が接触し、深挿入すると、オス端子に第１メス端子と第２メス端子とが接触する。
【００１３】
また、請求項４に係る発明は、前記目的を達成するために、前記第１メス端子と前記第２メス端子とを電気的に接続する接続端子を備え、該接続端子は、前記オスコネクタの挿入部が前記メスコネクタの被挿入部に挿入されると、前記第１メス端子と前記第２メス端子との接続を解除し、前記オスコネクタの挿入部が前記メスコネクタの被挿入部から抜かれると、前記第１メス端子と前記第２メス端子とを接続することを特徴とする請求項３に記載のコネクタを提供する。
【００１４】
本発明によれば、第１メス端子と第２メス端子とを電気的に接続する接続端子を備えている。この接続端子は、オスコネクタの挿入部をメスコネクタの被挿入部に挿入すると、第１メス端子と第２メス端子との接続を解除し、抜くと、第１メス端子と第２メス端子とを接続する。
【発明の効果】
【００１５】
本発明に係るコネクタによれば、１つのオスコネクタとメスコネクタとによって２つの出力形式を選択して接続することができる。
【発明を実施するための最良の形態】
【００１６】
以下、添付図面に従って本発明に係るコネクタを実施するための最良の形態について説明する。
【００１７】
図１は本発明に係るコネクタの第１の実施の形態の構成図である。このコネクタは、たとえばテレビ等の機器からヘッドフォン等の機器に音声信号を出力する際に使用され、入力機器側に設けられたオスコネクタ１０と出力機器側に設けられたメスコネクタ３０とで構成されている。
【００１８】
図２（ａ）、（ｂ）は、それぞれオスコネクタ１０を表側から見た斜視図と裏側から見た斜視図である。
【００１９】
オスコネクタ１０は、ケーブル１２の先端部に設けられており、オスコネクタ本体１４と挿入部１６とで構成されている。このケーブル１２には、図示しないヘッドフォン等の入力機器が接続されている。
【００２０】
オスコネクタ本体１４は、プラスチック等の樹脂材で四角いブロック状に形成されており、このオスコネクタ本体１４の先端に挿入部１６が設けられている。
【００２１】
挿入部１６は、不導体によって四角い平板状に形成されており、その基端部外周に導体からなるＧＮＤ端子１８が設けられている。また、表側の面の先端には、導体からなる入力端子２０が設けられている。
【００２２】
ＧＮＤ端子１８には、図１に示すように、ケーブル１２から続くＧＮＤ線２２が接続されており、また、入力端子２０には、ケーブル１２から続く信号入力線２４が接続されている。
【００２３】
メスコネクタ３０は、テレビ等の出力機器に設けられており、図１に示すように、差込口（被挿入部）３２を備えている。差込口３２は、オスコネクタ１０の挿入部１６の形状に対応して長方形状に形成されており、オスコネクタ１０は、この差込口３２に対して挿入部１６を表裏いずれの方向からも挿入できるようにされている。
【００２４】
差込口３２の内側には、第１外部出力端子３４、第２外部出力端子３６、内部出力端子３８、接続端子４０及びＧＮＤ端子４２が配設されている。
【００２５】
第１外部出力端子３４は、導体である金属片で形成されており、その先端部に接点３４Ａを備えている。この第１外部出力端子３４は、差込口３２の内側上部に接点３４Ａを下側に向けて配設されており、支持部３４Ｂに片持ち支持されている。
【００２６】
第２外部出力端子３６は、導体である金属片で形成されており、その先端部に接点３６Ａを備えている。この第２外部出力端子３６は、差込口３２の内側下部に接点３６Ａを上側に向けて配設されており、支持部３６Ｂに片持ち支持されている。
【００２７】
ここで、この第１外部出力端子３４と第２外部出力端子３６とは互いに対向して配置されており、その接点間の間隔はオスコネクタ１０の挿入部１６の厚さよりも短く形成されている。
【００２８】
内部出力端子３８は、導体である金属片で形成されており、その先端部に接点３８Ａを備えている。この内部出力端子３８は、差込口３２の内側下部に接点３８Ａを上側に向けて配設されており、支持部３８Ｂに片持ち支持されている。
【００２９】
接続端子４０は、導体である金属片で形成されており、その先端部に接点４０Ａを備えている。この接続端子４０は、第１外部出力端子３４の下側に接点４０Ａを上側に向けて配設されており、支持部４０Ｂに片持ち支持されている。また、この接続端子４０の接点４０Ａは、第１外部出力端子３４に接触されており、オスコネクタ１０がメスコネクタ３０に挿入されると、第１外部出力端子３４の撓みにより、接触が解除される。
【００３０】
ＧＮＤ端子４２は、導体である金属片で形成されており、その先端部に接点４２Ａを備えている。このＧＮＤ端子４２は、差込口３２の内側下部に接点４２Ａを上側に向けて配設されており、支持部４２Ｂに片持ち支持されている。
【００３１】
第１外部出力端子３４には、外部信号出力線４４Ａが接続されており、外部信号出力線４４Ａには、第２外部出力端子３６に接続された第２外部信号出力線４４Ｂが接続されている。
【００３２】
また、内部出力端子３８には、内部信号出力線４６Ａが接続されており、内部信号出力線４６Ａには、接続端子４０に接続された第２内部信号出力線４６Ｂが接続されている。この内部信号出力線４６Ａは、たとえば、テレビの内蔵スピーカに接続される。
【００３３】
また、ＧＮＤ端子４２には、ＧＮＤ線５０が接続されており、ＧＮＤ線５０はアースに接続されている。
【００３４】
前記のごとく構成された第１の実施の形態のコネクタの作用は次のとおりである。
【００３５】
図１に示すように、オスコネクタ１０が抜かれた状態において、メスコネクタ３０は、その差込口３２の内側に配設された接続端子４０の接点４０Ａが第１外部出力端子３４に接続する。この結果、アンプ５２を介して外部信号出力線４４Ａに信号を流すと、第１外部出力端子３４から接続端子４０に信号が流れ、接続端子４０から第２内部信号出力線４６Ｂを介して内部信号出力線４６Ａに信号が流れるようになる。
【００３６】
このように、オスコネクタ１０が抜かれた状態では、メスコネクタ３０の内部信号出力線４６Ａにのみ信号が流れる。
【００３７】
一方、図３（ａ）に示すように、表側の面を上にしてオスコネクタ１０の挿入部１６をメスコネクタ３０の差込口３２に挿入すると、メスコネクタ３０の第１外部出力端子３４、第２外部出力端子３６、内部出力端子３８及びＧＮＤ端子４２は、それぞれ接点がオスコネクタ１０の挿入部１６に押し上げられ又は押し下げられて撓む。
【００３８】
そして、メスコネクタ３０に対してオスコネクタ１０の挿入部１６を基端部まで差し込むと、第１外部出力端子３４の接点３４Ａが、オスコネクタ１０の挿入部１６に設けられた入力端子２０に接続され、これと同時にＧＮＤ端子４２が、オスコネクタ１０の挿入部１６に設けられたＧＮＤ端子１８に接続される。このとき、接続端子４０は、第１外部出力端子３４が撓むことにより、接点４０Ａが第１外部出力端子３４から離れ、第１外部出力端子３４との接続が解除される。
【００３９】
この結果、アンプ５２を介して外部信号出力線４４Ａに信号を流すと、第１外部出力端子３４から接続端子４０には信号が流れなくなり、第１外部出力端子３４からオスコネクタ１０の入力端子２０に流れ、入力端子２０から信号入力線２４に信号が流れるようになる。
【００４０】
このように、オスコネクタ１０をメスコネクタ３０に表側で挿入した場合には、オスコネクタ１０の信号入力線２４にのみ信号が流れる。
【００４１】
これに対して、図３（ｂ）に示すように、裏側の面を上にしてオスコネクタ１０の挿入部１６をメスコネクタ３０の差込口３２に基端部まで挿入すると、第２外部出力端子３６の接点３６Ａと内部出力端子３８の接点３８Ａとが、オスコネクタ１０の挿入部１６に設けられた入力端子２０に接続され、これと同時にＧＮＤ端子４２が、オスコネクタ１０の挿入部１６に設けられたＧＮＤ端子１８に接続される。このとき、接続端子４０は、第１外部出力端子３４が撓むことにより、接点４０Ａが第１外部出力端子３４から離れ、第１外部出力端子３４との接続が解除される。
【００４２】
この結果、アンプ５２を介して外部信号出力線４４Ａに信号を流すと、第２外部出力端子３６からオスコネクタ１０の入力端子２０に流れ、入力端子２０から信号入力線２４に信号が流れるとともに、入力端子２０から内部出力端子３８を介して内部信号出力線４６Ａにも信号が流れるようになる。
【００４３】
このように、本実施の形態のコネクタによれば、オスコネクタ１０を接続しない状態では、内部信号出力線４６Ａにのみ信号が出力され、オスコネクタ１０を表側で接続すると（表面側を上にして接続すると）、オスコネクタ１０の信号入力線２４にのみ信号が出力される。そして、オスコネクタ１０を裏側で接続すると（裏面側を上にして接続すると）、オスコネクタ１０の信号入力線２４とメスコネクタ３０の内部信号出力線４６Ａの双方に信号が出力される。
【００４４】
この結果、たとえば、オスコネクタ１０の信号入力線２４をヘッドフォンに接続し、メスコネクタ３０の内部信号出力線４６Ａをテレビの内蔵スピーカに接続して、アンプ５２から音声信号を出力すると、オスコネクタ１０を接続しない状態ではテレビの内蔵スピーカから音声が出力され、オスコネクタ１０を表側で接続すると、ヘッドフォンから音声が出力される。そして、オスコネクタ１０を裏側で接続すると、ヘッドフォンと内蔵スピーカの双方から音声が出力されるようになる。
【００４５】
このように、本実施の形態のコネクタによれば、一組のオスコネクタとメスコネクタの組み合わせで３通りの信号出力形式を得ることができる。
【００４６】
なお、本実施の形態では、メスコネクタ側から信号を出力する場合を例に説明したが、本発明に係るコネクタは、オスコネクタ側から信号を出力する場合にも使用することができる。
【００４７】
すなわち、たとえば図３（ａ）に示すように、表側でオスコネクタ１０をメスコネクタ３０に接続し、オスコネクタ１０の信号入力線２４に信号を流すと、入力端子２０から第１外部信号出力端子３４を介して外部信号出力線４４Ａにのみ信号が流れる。
【００４８】
一方、図３（ｂ）に示すように、裏側でオスコネクタ１０をメスコネクタ３０に接続し、オスコネクタ１０の信号入力線２４に信号を流すと、入力端子２０から第２外部出力端子３６を介して外部信号出力線４４Ａに信号が流れると同時に内部出力端子３８を介して内部信号出力線４６Ａにも信号が流れるようになる。
【００４９】
このように、本発明に係るコネクタは、オスコネクタ側から信号を出力する場合にも使用することができる。
【００５０】
また、本実施の形態では、オスコネクタ１０をメスコネクタ３０に挿入しない場合は、信号がメスコネクタ側に内部出力されるように構成しているが、オスコネクタ１０をメスコネクタ３０に挿入しない場合は、メスコネクタ側にも内部出力されないように構成してもよい。
【００５１】
図４は本発明に係るコネクタの第２の実施の形態の構成図である。このコネクタも上述した第１の実施の形態のコネクタと同様に、たとえばテレビ等の機器からヘッドフォン等の機器に音声信号を出力する際に使用され、入力機器側に設けられたオスコネクタ６０と出力機器側に設けられたメスコネクタ８０とで構成されている。
【００５２】
図５は、オスコネクタ６０の斜視図である。同図に示すように、オスコネクタ６０は、ケーブル６２の先端部に設けられており、オスコネクタ本体６４と挿入部６６とで構成されている。このケーブル６２には、図示しないヘッドフォン等の入力機器が接続されている。
【００５３】
オスコネクタ本体６４は、プラスチック等の樹脂材で円柱状に形成されており、このオスコネクタ本体６４先端に挿入部６６が設けられている。
【００５４】
挿入部６６は、円柱状に形成されており、ＧＮＤ端子部６８と入力端子部７０とで構成されている。
【００５５】
ＧＮＤ端子部６８は、挿入部６６の基端部に設けられており、ケーブル６２から続くＧＮＤ線７２が接続されている。
【００５６】
入力端子部７０は、ＧＮＤ端子部６８の先端に絶縁部７４を介して設けられており、ケーブル６２から続く信号入力線７６が接続されている。この入力端子部７０は、先端がテーパ状に形成されており、また、その先端部近傍には、クビレ部７８が形成されている。
【００５７】
メスコネクタ８０は、テレビ等の出力機器に設けられており、図１に示すように、差込口（被挿入部）８２を備えている。差込口８２は、オスコネクタ６０の挿入部６６の形状に対応して円形状に形成されている。
【００５８】
差込口８２の内側には、外部出力端子８４、内部出力端子８６、接続端子８８及びＧＮＤ端子９０が配設されている。
【００５９】
外部出力端子８４は、導体である金属片で形成されており、その先端部に接点８４Ａを備えている。この外部出力端子８４は、差込口８２の内側上部に接点８４Ａを下側に向けて配設されており、支持部８４Ｂに片持ち支持されている。
【００６０】
内部出力端子８６は、導体である金属片で形成されており、その先端部に接点８６Ａを備えている。この内部出力端子８６は、差込口８２の内側下部に接点８６Ａを上側に向けて配設されており、支持部８６Ｂに片持ち支持されている。
【００６１】
接続端子８８は、導体である金属片で形成されており、その先端部に接点８８Ａを備えている。この接続端子８８は、外部出力端子８４の下側に接点８８Ａを上側に向けて配設されており、支持部８８Ｂに片持ち支持されている。また、この接続端子８８の接点８８Ａは、外部出力端子８４に接触されており、オスコネクタ６０がメスコネクタ８０挿入されると、外部出力端子８４の撓みにより、接触が解除される。
【００６２】
ＧＮＤ端子９０は、導体である金属片で形成されており、その先端部に接点９０Ａを備えている。このＧＮＤ端子９０は、差込口８２の内側下部に接点９０Ａを上側に向けて配設されており、支持部９０Ｂに片持ち支持されている。
【００６３】
外部出力端子８４には、外部信号出力線９２が接続されている。一方、内部出力８６には、内部信号出力線９４が接続されており、この内部信号出力線９４には、接続端子８８に接続された第２内部信号出力線９６が接続されている。この内部信号出力線９４は、たとえば、テレビの内蔵スピーカに接続される。
【００６４】
また、ＧＮＤ端子９０には、ＧＮＤ線９８が接続されており、ＧＮＤ線９８はアースに接続されている。
【００６５】
前記のごとく構成された第２の実施の形態のコネクタの作用は次のとおりである。
【００６６】
図４に示すように、オスコネクタ６０が抜かれた状態において、メスコネクタ８０は、その差込口８２の内側に配設された接続端子８８の接点８８Ａが外部出力端子８４に接続する。この結果、アンプ１００を介して外部信号出力線９２に信号を流すと、外部出力端子８４から接続端子８８に信号が流れ、接続端子８８から第２内部信号出力線９６を介して内部信号出力線９４に信号が流れるようになる。
【００６７】
このように、オスコネクタ６０が抜かれた状態では、メスコネクタ８０の内部信号出力線９４にのみ信号が流れる。
【００６８】
一方、図６（ａ）に示すように、オスコネクタ６０の挿入部６６をメスコネクタ８０の差込口８２に差し込むと、まず、外部出力端子８４の接点８４Ａがオスコネクタ６０の挿入部６６の先端、すなわち入力端子部７０の先端テーパ部に当接する。この状態で更にオスコネクタ６０を押し込むと、外部出力端子８４が撓み、接点８４Ａがテーパ部を乗り越えて、入力端子部７０の外周に当接する。そして、オスコネクタ６０を押し込むと、外部出力端子８４の接点８４Ａが、入力端子部７０の外周に形成されたクビレ部７８に嵌合し、オスコネクタ６０を押し込む力に規制が働く。
【００６９】
この状態がオスコネクタ６０をメスコネクタ８０に浅挿入した状態であり、この状態において、メスコネクタ８０は、その外部出力端子８４の接点８４Ａが、オスコネクタ６０の入力端子部７０に接続されるとともに、ＧＮＤ端子９０の接点９０Ａが、オスコネクタ６０のＧＮＤ端子部６８に接続される。また、外部出力端子８４が撓むことにより、接続端子８８の接点８８Ａが外部出力端子８４から離れ、接続端子８８と外部出力端子８４との接続が解除される。
【００７０】
この結果、アンプ１００を介して外部信号出力線９２に信号を流すと、外部出力端子８４から接続端子８８には信号が流れなくなり、外部出力端子８４からオスコネクタ６０の入力端子部７０に流れ、入力端子部７０から信号入力線７６に信号が流れるようになる。
【００７１】
このように、オスコネクタ６０をメスコネクタ８０に浅挿入すると、オスコネクタ６０の信号入力線７６にのみ信号が流れる。
【００７２】
このオスコネクタ６０をメスコネクタ８０に浅挿入した状態からオスコネクタ６０を更に押し込むと、メスコネクタ８０の外部出力端子８４の接点８４Ａが、クビレ部７８を乗り上げ、再びオスコネクタ６０の押し込みが可能になる。そして、オスコネクタ６０を更に押し込むと、内部出力端子８６の接点８６Ａがオスコネクタ６０の入力端子部７０の先端テーパ部に当接したのち、そのテーパ部を乗り越えてクビレ部７８に嵌合する。このとき、差込口８２にオスコネクタ本体６４の端面が当接する。
【００７３】
この状態がオスコネクタ６０をメスコネクタ８０に深挿入した状態であり、この状態において、メスコネクタ８０は、その外部出力端子８４の接点８４Ａが、オスコネクタ６０の入力端子部７０に接続されるとともに、内部出力端子８６の接点８６Ａがオスコネクタ６０の入力端子部７０に接続され、ＧＮＤ端子９０の接点９０Ａが、オスコネクタ６０のＧＮＤ端子部６８に接続される。なお、接続端子８８と外部出力端子８４との接続は解除されたままである。
【００７４】
この結果、アンプ１００を介して外部信号出力線９２に信号を流すと、外部出力端子８４からオスコネクタ６０の入力端子部７０に流れるとともに、メスコネクタ８０の内部出力端子８６に流れ、信号入力線７６と内部信号出力線９４の双方に信号が流れるようになる。
【００７５】
このように、オスコネクタ６０をメスコネクタ８０に深挿入すると、オスコネクタ６０の信号入力線７６とメスコネクタ８０の内部信号出力線９４の双方に信号が流れる。
【００７６】
以上説明したように、本実施の形態のコネクタによれば、オスコネクタ６０を接続しない状態では、内部信号出力線９４にのみ信号が出力され、オスコネクタ６０をメスコネクタ８０に浅挿入すると、オスコネクタ６０の信号入力線７６にのみ信号が出力される。そして、オスコネクタ６０をメスコネクタ８０に深挿入すると、オスコネクタ６０の信号入力線７６とメスコネクタ８０の内部信号出力線９４の双方に信号が出力される。
【００７７】
この結果、上記第１の実施の形態のコネクタと同様に、たとえば、オスコネクタ６０の信号入力線７６をヘッドフォンに接続し、メスコネクタ８０の内部信号出力線９４をテレビの内蔵スピーカに接続して、アンプ１００から音声信号を出力すると、オスコネクタ６０を接続しない状態ではテレビの内蔵スピーカから音声が出力され、オスコネクタ６０を浅挿入すると、ヘッドフォンから音声が出力される。そして、オスコネクタ６０を深挿入すると、ヘッドフォンと内蔵スピーカの双方から音声が出力されるようになる。
【００７８】
このように、本実施の形態のコネクタにおいても上記第１の実施の形態のコネクタと同様に、一組のオスコネクタとメスコネクタの組み合わせで３通りの信号出力形式を得ることができる。
【００７９】
なお、本実施の形態では、メスコネクタ側から信号を出力する場合を例に説明したが、上記第１の実施の形態のコネクタと同様にオスコネクタ側から信号を出力する場合にも使用することができる。
【００８０】
また、本実施の形態では、オスコネクタ６０をメスコネクタ８０に挿入しない場合は、信号がメスコネクタ側に内部出力されるように構成しているが、オスコネクタ６０をメスコネクタ８０に挿入しない場合は、メスコネクタ側にも内部出力されないように構成してもよい。
【００８１】
また、本実施の形態では、オスコネクタ６０のクビレ部７８に外部出力端子８４の接点８４Ａを嵌合させることにより、オスコネクタ６０をメスコネクタ８０に浅挿入し、オスコネクタ６０のクビレ部７８に内部出力端子８６の接点８６Ａを嵌合させることにより、オスコネクタ６０をメスコネクタ８０に深挿入しているが、より明確に浅挿入と深挿入とを切り替えるために、たとえば図７に示すように、ガイド機構を設けてもよい。
【００８２】
このガイド機構は、オスコネクタ６０の先端部に設けられるガイド用の突起部１１０とメスコネクタ８０の内周部に配設されるガイド筒１１２とで構成されている。ガイド筒１１２には、突起部１１０が嵌合するガイド溝１１４が形成されており、ガイド溝１１４は、第１直線ガイド部１１４Ａと、回転ガイド部１１４Ｂと、第２直線ガイド部１１４Ｃとで構成されている。
【００８３】
第１直線ガイド部１１４Ａは、メスコネクタ８０の差込口８２からガイド筒１１２の軸方向に沿って形成されており、終端部で回転ガイド部１１４Ｂの一端と連結されている。回転ガイド部１１４Ｂは、ガイド筒１１２の周方向に沿って形成されており、終端部で第２直線ガイド部１１４Ｃの一端に連結されている。第２直線ガイド部１１４Ｃは、ガイド筒１１２の軸方向に沿って形成されている。
【００８４】
このように構成されたガイド機構において、オスコネクタ６０はメスコネクタ８０に挿入する際、その先端部に設けられた突起部１１０をガイド筒１１２の第１直線ガイド部１１４Ａに嵌合させて挿入する。このように挿入すると、オスコネクタ６０は、所定位置まで挿入したところで、突起部１１０が第１直線ガイド部１１４Ａの終端に当接し、挿入が止められる。この状態がオスコネクタ６０をメスコネクタ８０に浅挿入した状態であり、この結果、メスコネクタ８０の外部出力端子８４の接点８４Ａが、オスコネクタ６０の入力端子部７０に接続されるとともに、ＧＮＤ端子９０の接点９０Ａが、オスコネクタ６０のＧＮＤ端子部６８に接続される。
【００８５】
オスコネクタ６０をメスコネクタ８０に深挿入する場合は、まず、オスコネクタ６０を周方向に回転させる。この結果、オスコネクタ６０の突起部１１０が回転ガイド部１１４Ｂに沿って移動する。突起部１１０は、所定量移動したところで、回転ガイド部１１４Ｂの終端に当接するので、この状態から次にオスコネクタ６０を軸に沿って押し込む。オスコネクタ６０を軸に沿って押し込むと、突起部１１０はガイド溝１１４の第２直線ガイド部１１４Ｃに沿って移動する。そして、所定量挿入したところで、オスコネクタ６０のオスコネクタ本体６４の端面が差込口８２に当接する。この状態がオスコネクタ６０をメスコネクタ８０に深挿入した状態であり、この結果、メスコネクタ８０の外部出力端子８４の接点８４Ａが、オスコネクタ６０の入力端子部７０に接続されるとともに、内部出力端子８６の接点８６Ａがオスコネクタ６０の入力端子部７０に接続され、ＧＮＤ端子９０の接点９０Ａが、オスコネクタ６０のＧＮＤ端子部６８に接続される。
【００８６】
このように、ガイド機構を設けることにより、オスコネクタ６０の浅挿入と深挿入とをより明確に切り替えることができる。
【図面の簡単な説明】
【００８７】
【図１】本発明に係るコネクタの第１の実施の形態の構成図
【図２】第１の実施の形態のオスコネクタの構成を示す斜視図
【図３】第１の実施の形態のコネクタの作用の説明図
【図４】本発明に係るコネクタの第２の実施の形態の構成図
【図５】第２の実施の形態のオスコネクタの構成を示す斜視図
【図６】第２の実施の形態のコネクタの作用の説明図
【図７】ガイド機構の構成を示す斜視図
【符号の説明】
【００８８】
１０…オスコネクタ、１２…ケーブル、１４…オスコネクタ本体、１６…挿入部、１８…ＧＮＤ端子、２０…入力端子、２２…ＧＮＤ線、２４…信号入力線、３０…メスコネクタ、３２…差込口（被挿入部）、３４…第１外部出力端子、３４Ａ…接点、３６…第２外部出力端子、３６Ａ…接点、３８…内部出力端子、３８Ａ…接点、４０…接続端子、４０Ａ…接点、４２…ＧＮＤ端子、４２Ａ…接点、４４Ａ…外部信号出力線、４４Ｂ…第２外部信号信号出力線、４６Ａ…内部信号出力線、４６Ｂ…第２内部信号出力線、５０…ＧＮＤ線、５２…アンプ、６０…オスコネクタ、６２…ケーブル、６４…オスコネクタ本体、６６…挿入部、６８…ＧＮＤ端子部、７０…入力端子部、７２…ＧＮＤ線、７４…絶縁部、７６…信号入力線、７８…クビレ部、８０…メスコネクタ、８２…差込口（被挿入部）、８４…外部出力端子、８４Ａ…接点、８４Ｂ…支持部、８６…内部出力端子、８６Ａ…接点、８６Ｂ…支持部、８８…接続端子、８８Ａ…接点、８８Ｂ…支持部、９０…ＧＮＤ端子、９０Ａ…接点、９０Ｂ…支持部、９２…外部信号出力線、９４…内部信号出力線、９６…第２内部信号出力線、９８…ＧＮＤ線、１００…アンプ、１１０…突起部、１１２…ガイド筒、１１４…ガイド溝、１１４Ａ…第１直線ガイド部、１１４Ｂ…回転ガイド部、１１４Ｃ…第２直線ガイド部
【図１】
2005276710.tif 000003
【図２】
2005276710.tif 000004
【図３】
2005276710.tif 000005
【図４】
2005276710.tif 000006
【図５】
2005276710.tif 000007
【図６】
2005276710.tif 000008
【図７】
2005276710.tif 000009